(57)【特許請求の範囲】
【請求項１】
二本の支柱（４）と、それらの支柱の間に位置する座（５）および背（６）とを具え、
前記座が、その両側部の前後端間の中間部を両側方の前記支柱の上下端間の中間部にそれぞれ回動可能に支持されて略水平な使用位置と略垂直な起立位置との間で回動することができ、
前記背が、その下端部を前記座の後端部に連結軸（９）を介して回動可能に連結されるとともにその両側部の上下端間の中間部をそれぞれリンク部材を介して両側方の前記支柱の上端部に連結され、前記リンク部材と前記座の側部と前記支柱とその背の側部とでその背の両側方にそれぞれ四節リンク機構を構成して前記座と連動する、背座連動型座起立式椅子において、
前記座（５）の後端部に前記連結軸を結合するとともに、前記背（６）の下端部にダンパー収容部（6a）を設け、
前記ダンパー収容部に、前記背の下端部と前記連結軸との間の相対回動を制動するダンパー（17）を収容したことを特徴とする、背座連動型座起立式椅子。
【請求項２】
前記ダンパーとして、本体（17a)と、その本体から突出するとともにその本体に対する回動を制動される回動軸（17b)とを有するロータリーダンパー（17）を使用し、
前記本体を前記背の下端部に結合するとともに、
前記回動軸を前記連結軸と結合したことを特徴とする、請求項１記載の背座連動型座起立式椅子。
【発明の詳細な説明】
【０００１】
【発明の属する技術分野】
この発明は、公共施設等で用いられる座起立式の椅子であって、背が座と連動して起立して畳まれる背座連動型の座起立式椅子に関し、特には、着座者が離座した際に座と背とがゆっくりと畳まれて互いに穏やかに当たるようにダンパーを設けた座起立式椅子に関するものである。
【０００２】
【従来の技術】
上述の如き座起立式椅子としては例えば、本願出願人が先に特開平１０−１５５５８７号公報にて開示したものが従来知られており、この椅子は、床面に立設された二本の支柱と、それらの支柱の間に位置する座および背とを具え、前記座が、その両側部の前後端間の中間部を両側方の前記支柱の上下端間の中間部にそれぞれ回動可能に支持されて略水平な使用位置と略垂直な起立位置との間で回動することができ、前記背が、その両側部の下端部を前記座の両側部の後端部に回動可能に連結されるとともにその両側部の上下端間の中間部をそれぞれ第１のリンク部材を介して両側方の前記支柱の上端部に連結され、前記第１のリンク部材と前記座の側部と前記支柱とその背の側部とでその背の両側方にそれぞれ四節リンク機構を構成して前記座と連動する、背座連動型座起立式椅子において、筒状ホルダを突設した取り付け金具を前記背の少なくとも一方の側部に、その筒状ホルダが前記背に対する前記第１のリンク部材の連結位置からその背の長手方向に外れて位置するように配置して固定し、その筒状ホルダ内にロータリーダンパーの本体を収容し固定して、そのロータリーダンパーの本体から突出した回動軸に第２のリンク部材の一端部を結合し、その第２のリンク部材の他端部に設けた嵌合部を、前記第１のリンク部材に形成した長孔に、その長孔の延在方向へ摺動可能なように嵌合させてなるものである。
【０００３】
かかる座起立式椅子にあっては、四節リンク機構により背と座が連動して起立する際に第１のリンク部材が背に対して回動すると、背に対するその第１のリンク部材の連結位置からその背の長手方向に外れて位置する筒状ホルダ内に本体を収容固定されたロータリーダンパーと第１のリンク部材の長孔との距離が変化することから、そのロータリーダンパーの回動軸に一端部を結合された第２のリンク部材の他端部の嵌合部が、その第１のリンク部材の回動に伴って第１のリンク部材の長孔内で摺動しつつ、ロータリーダンパーの回動軸周りに旋回し、これによってロータリーダンパーの本体に対し回動軸が制動されつつ回動して、背と座が連動して畳まれる動きをゆっくりしたものにし、ひいては背と座を互いに穏やかに当たるようにする。従ってこの座起立式椅子によれば、着座者が離座した際の背と座との衝突による騒音の発生を防止することができる。
【０００４】
【発明が解決しようとする課題】
しかして本願発明者が上記従来の座起立式椅子についてさらに研究を進めた結果、改良することが望ましい以下の点が見出された。すなわち、上記従来の座起立式椅子にあっては、背の側部から筒状ホルダが突出しているため、背と支柱との間に隙間があいて、二本の支柱の間隔に対し背の幅を十分広げることができないという不都合があり、また第１のリンク部材の他に第２のリンク部材を設ける必要があるとともに第１のリンク部材に長孔を形成する必要があって、製造費用が嵩むという不都合があった。
【０００５】
【課題を解決するための手段およびその作用・効果】
この発明は、上記課題を有利に解決した座起立式椅子を提供することを目的とするものであり、この発明の背座連動型座起立式椅子は、二本の支柱と、それらの支柱の間に位置する座および背とを具え、前記座が、その両側部の前後端間の中間部を両側方の前記支柱の上下端間の中間部にそれぞれ回動可能に支持されて略水平な使用位置と略垂直な起立位置との間で回動することができ、前記背が、その下端部を前記座の後端部に連結軸を介して回動可能に連結されるとともにその両側部の上下端間の中間部をそれぞれリンク部材を介して両側方の前記支柱の上端部に連結され、前記リンク部材と前記座の側部と前記支柱とその背の側部とでその背の両側方にそれぞれ四節リンク機構を構成して前記座と連動する、背座連動型座起立式椅子において、前記座の後端部に前記連結軸を結合するとともに、前記背の下端部にダンパー収容部を設け、前記ダンパー収容部に、前記背の下端部と前記連結軸との間の相対回動を制動するダンパーを収容したことを特徴とするものである。
【０００６】
かかる座起立式椅子にあっては、四節リンク機構により背と座が連動して起立する際に、背の下端部と座の後端部とが連結軸周りに相対回動すると、座の後端部に結合された連結軸が、背の下端部に対して回動し、その背の下端部と連結軸との間の相対回動をダンパーが制動して、背と座が連動して畳まれる動きをゆっくりしたものにし、ひいては背と座を互いに穏やかに当たるようにする。従ってこの座起立式椅子によれば、着座者が離座した際の背と座との衝突による騒音の発生を防止することができる。
【０００７】
しかもこの発明の座起立式椅子によれば、筒状ホルダを背の側部から突出させてそこにダンパーを収容するのでなく、着座者の快適性への影響がほとんどもしくは全く無い背の下端部にダンパー収容部を設けて、そこにダンパーを収容しているので、着座者の快適性を損なうことなしに、二本の支柱の間隔に対し背の幅を十分広げることができ、また、他に第２のリンク部材を設けるとともに元のリンク部材に長孔を形成するといった必要がないので、椅子の製造費用も低減させることができる。
【０００８】
なお、この発明においては、前記ダンパーとして、連結軸に設けた腕部材やカム部材等で作動する直線作動型ダンパーを用いても良いが、より好ましくは、前記ダンパーとして、本体と、その本体から突出するとともにその本体に対する回動を制動される回動軸とを有するロータリーダンパー（回転作動型ダンパー）を使用し、前記本体を前記背の下端部に結合するとともに、前記回動軸を前記連結軸と結合する。このようにすれば、ロータリーダンパーは比較的コンパクトな外形寸法に形成できることから、それを収容する収容部も小さくて済むので、背の下端部にもクッション材を十分内装し得て椅子の快適性をより高めることができるとともに、椅子の外観も向上させることができる。
【０００９】
ここで、上記ロータリーダンパーとしては例えば、円筒形の本体内に位置する回動軸の基部とその本体の内周面との間の僅かな隙間に高粘度のグリスを充填してなる粘性ダンパー型式のものを用いても良く、また、本体内に位置する回動軸の基部とその本体の内周面との間にオイルを充填して回動軸でそのオイルを流動させそのオイルの流動抵抗で回動軸を制動するオイルダンパー型式のものを用いても良い。
【００１０】
【発明の実施の形態】
以下に、この発明の実施の形態を実施例によって、図面に基づき詳細に説明する。ここに、図１（ａ）および（ｂ）は、この発明の背座連動型座起立式椅子の一実施例を座および背が使用位置に位置した状態で示す正面図および側面図、図２（ａ）および（ｂ）は、その実施例の座起立式椅子を座および背が起立位置に位置した状態で示す正面図および側面図、図３（ａ）および（ｂ）は、その実施例の座起立式椅子のダンパー周りの部分の構造を斜め外側上方および斜め内側上方から見た向きでそれぞれ示す分解斜視図、そして図４は、その実施例の座起立式椅子のダンパー周りの部分を示す拡大断面図である。
【００１１】
ここにおける背座連動型座起立式椅子１は、脚２により支持された連結管３によって図１（ａ）および図２（ａ）では左右方向に複数連結されて、競技場や劇場その他の公共施設等で用いられる連結椅子を構成するものであり、連結管３に下端部を支持された二本の支柱４と、それらの支柱４の間に位置する座５および背６と、それらの支柱４の上端部にそれぞれ配置された肘７とを有している。
【００１２】
そしてこの椅子１においては、座５が、その両側部の前後端間の中間位置を両側方の支柱４の上下端間の中間位置に支持軸８を介しそれぞれ回動可能に支持されて、図１（ａ），（ｂ）に示す略水平な使用位置と、図２（ａ），（ｂ）に示す略垂直な起立位置との間で回動することができ、また背６が、その両側部の下端部を座５の両側部の後端部に連結軸９を介し回動可能に連結されるとともにその両側部の上下端間の中間位置をそれぞれリンク部材１０およびその両端部の連結軸１１，１２を介して両側方の支柱４の上端部に連結され、リンク部材１０と座５の側部と支柱４とその背６の側部とでその背６の両側にそれぞれ四節リンク機構を構成して座５と連動し、座５が上記使用位置に位置する際には図１に示すように後方へ傾斜する使用位置に位置する一方、座５が上記起立位置に位置する際には図２に示すように略垂直な起立位置に位置して座５と合わさった状態となる
【００１３】
さらにこの椅子１においては、肘７が、図１に示す略水平な使用位置と、その位置よりも後端部が下方に下がった図２に示す起立位置との間で回動可能に連結軸１１を介して支柱２の上端部に支持されるとともに、その起立位置へ向けて図示しないスプリングにより常時付勢され、かつその裏面にてリンク部材１０に対し掛合および離間可能とされており、これにより、着座する人によって座５が背６とともに起立位置から使用位置へ移動されて、その背６に連結されたリンク部材１０が略垂直位置から略水平位置へ回動すると、図１に示すように、そのリンク部材１０で裏面を押された肘７が上記スプリングに抗してリンク部材１０と一緒に略水平な使用位置に回動し、また、着座していた人が離座して座５が背６とともに使用位置から起立位置へ移動して、その背６に連結されたリンク部材１０が略水平位置から略垂直位置へ回動すると、図２に示すように、肘７が上記スプリングの附勢力によりそのリンク部材１０と一緒に、座５および背６と整列する、後端部が下方に下がった略垂直な起立位置に回動する。
【００１４】
ところで、この椅子１における座５の両側部には、図１に示すように、その中間部から後端部にかけて延在するように板材からなる座アーム１３が固定されており、図３に示すように、上記支持軸８および連結軸９は、その座アーム１３に互いに逆向きに突設され、その座アーム１３にはまた、支柱４に形成された空間部４ａの上端の内面と掛合して座５の回動限位置を上記使用位置に規制するストッパー軸１４も突設されている。
【００１５】
その一方、この椅子１における背６の両側部には、図１に示すように、その中間部から下端部にかけて延在するように板材からなる背持ち送り１５が固定されており、図３に示すように、上記連結軸１２は、その背持ち送り１５に突設され、また上記連結軸９は、背６の一方の側（図１（ａ）および図２（ａ）では右側）ではその背持ち送り１５にブッシュ１６を介して回動自在に支持されるとともに回転作動型ダンパーとしてのロータリーダンパー１７を介して連結され、背６の他方の側ではその背持ち送り１５に単にブッシュ１６を介して回動自在に支持されている。
【００１６】
ここにおけるロータリーダンパー１７は、円筒形の本体１７ａ  内に位置する回動軸１７ｂ  の基部とその本体１７ａ  の内周面との間の僅かな隙間に高粘度のグリスを充填して、本体１７ａ  と回動軸１７ｂ  との相対回動をそのグリスで制動するようにした粘性ダンパー型式の通常のものであり、図３および図４に示すように、上記背持ち送り１５にはそのロータリーダンパー１７を収容するダンパーケース１８が座６に向く側に突設され、ロータリーダンパー１７の本体１７ａ  は、その後端部に突設されて該ダンパーの軸線に対し直交方向に延在する突条部１７ｃ  をダンパーケース１８の底部に形成された溝部１８ａ  に嵌め合わされてダンパーケース１８に対し回り止めされ、またロータリーダンパー１７の回動軸１７ｂ  は、その先端部に形成されて該ダンパーの軸線に対し直交方向に延在する平坦部１７ｄ  を上記連結軸９に形成された溝部９ａに嵌め合わされて連結軸９に対し回り止めされている。
【００１７】
そして座６の一方の側部（図１（ａ）および図２（ａ）では右側部）の下端部には、図４に一部切り欠いて示すように、上記ダンパーケース１８を収容する、ダンパー収容部としてのクッション材非充填部６ａが設けられている。
【００１８】
かかる実施例の椅子１にあっては、四節リンク機構により背６と座５が連動して起立する際に、背６の下端部と座５の後端部とが連結軸９周りに相対回動すると、座５の後端部に座アーム１３を介して結合された連結軸９が、それら背６の下端部に対して回動し、その背６の下端部と連結軸９との間の相対回動をロータリーダンパー１７が制動して、背６と座５が連動して畳まれる動きをゆっくりしたものにし、ひいては背６と座５を互いに穏やかに当たるようにする。従ってこの実施例の座起立式椅子１によれば、着座者が離座した際の背６と座５との衝突による騒音の発生を有効に防止することができる。
【００１９】
しかもこの実施例の座起立式椅子１によれば、筒状ホルダを背の側部から突出させてそこにダンパーを収容するのでなく、着座者の快適性への影響がほとんどもしくは全く無い背の下端部にクッション材非充填部６ａを設けて、そこにダンパーケース１８ひいてはダンパー１７を収容しているので、着座者の快適性を損なうことなしに二本の支柱４の間隔に対し背６の幅を十分広げることができ、そして、他に第２のリンク部材を設けるとともに元のリンク部材に長孔を形成するといった必要がないので、椅子の製造費用も低減させることができる。
【００２０】
さらにこの実施例の座起立式椅子１によれば、ダンパーとして、本体１７ａ  と、その本体１７ａ  から突出するとともにその本体１７ａ  に対する回動を制動される回動軸１７ｂ  とを有するロータリーダンパー１７を使用して、その本体１７ａ  を背持ち送り１５を介して背６の下端部に結合するとともに、その回動軸１７ｂ  を連結軸９と結合しており、それゆえ、かかるロータリーダンパー１７は比較的コンパクトな外形寸法に形成できることからそれを収容するクッション材非充填部６ａも小さくて済むので、背６の下端部にもクッション材を十分内装し得て椅子の快適性をより高めることができるとともに、椅子の外観も向上させることができる。
【００２１】
以上、図示例に基づき説明したが、この発明は上述の例に限定されるものでなく、例えば、上記実施例ではダンパーを背の一方の側のみ設けたが、背や座の重量が嵩む場合等所要に応じてダンパーを背の両側に設けるようにしても良い。そして、上記実施例では粘性ダンパー型式のロータリーダンパーを用いたが、オイルダンパー型式のロータリーダンパーや、直線作動型ダンパーを使用しても良く、また上記実施例では連結椅子に適用したが、この発明が独立した椅子に使用し得ることはもちろんである。
【図面の簡単な説明】
【図１】（ａ）および（ｂ）は、この発明の背座連動型座起立式椅子の一実施例を座および背が使用位置に位置した状態で示す正面図および側面図である。
【図２】（ａ）および（ｂ）は、上記実施例の座起立式椅子を座および背が起立位置に位置した状態で示す正面図および側面図である。
【図３】（ａ）および（ｂ）は、上記実施例の座起立式椅子のダンパー周りの部分の構造を斜め外側上方および斜め内側上方から見た向きでそれぞれ示す分解斜視図である。
【図４】上記実施例の座起立式椅子のダンパー周りの部分を示す拡大断面図である。
【符号の説明】
１  椅子
２  脚
３  連結管
４  支柱
５  座
６  背
６ａ  クッション材非充填部
９  連結軸
９ａ  溝部
１０  リンク部材
１３  座アーム
１５  背持ち送り
１７  ロータリーダンパー
１７ａ  本体
１７ｂ  回動軸
１７ｃ  突条部
１７ｄ  平坦部
１８  ダンパーケース
１８ａ  溝部
【図１】
0003574336.tif 000002
【図２】
0003574336.tif 000003
【図３】
0003574336.tif 000004
【図４】
0003574336.tif 000005